(57)【要約】【課題】呼吸用撥水フィルタが取り付けられた、電子装置を収容する防水ケースであって、安価に製造することができ、撥水フィルタの取り付け部分に埃や水が留まり難い防水ケースを提供する。【解決手段】電子装置を搭載する略平板状の底板１０と、電子装置が搭載された底板１０を蓋する上蓋２３とを有し、上蓋２３には、略平板状の底板１０面に対して組み付け時に傾いた面となる傾斜部２３ｓが形成され、上蓋２３を貫通する呼吸穴２３ｂが、傾斜部２３ｓに設けられ、上蓋２３の内側面に、撥水フィルタ４が、呼吸穴２３ｂを覆って取り付けられ、上蓋２３の外側面に、開口部２３ｃａ，２３ｃｂが形成されたフィルタカバー２３ｃが、撥水フィルタ４を覆って形成されてなる防水ケース１００とする。【選択図】        図１
2006005162.tif 000002
【特許請求の範囲】
【請求項１】
呼吸用撥水フィルタが取り付けられた、電子装置を収容する防水ケースであって、
前記電子装置を搭載する略平板状の底板と、前記電子装置が搭載された底板を蓋する上蓋とを有し、
前記上蓋には、前記略平板状の底板面に対して組み付け時に傾いた面となる傾斜部が形成され、
前記上蓋を貫通する呼吸穴が、前記傾斜部に設けられ、
前記上蓋の内側面に、前記撥水フィルタが、前記呼吸穴を覆って取り付けられ、
前記上蓋の外側面に、開口部が形成されたフィルタカバーが、前記撥水フィルタを覆って形成されてなることを特徴とする電子装置の防水ケース。
【請求項２】
前記フィルタカバーが、前記上蓋と一体形成されてなることを特徴とする請求項１に記載の電子装置の防水ケース。
【請求項３】
前記底板と上蓋が、１つの側面が開口となる略箱状に組み付けられ、
前記電子装置における外部と接続するためのコネクタが、前記開口を蓋する前面カバーに取り付けられ、
前記傾斜部が、前記上蓋における前記コネクタ上方の高い段とコネクタ以外の領域上方の低い段を接続する屈曲部であることを特徴とする請求項１または２に記載の電子装置の防水ケース。
【請求項４】
前記撥水フィルタが、前記上蓋に溶着されて取り付けられることを特徴とする請求項１乃至３のいずれか１項に記載の電子装置の防水ケース。
【請求項５】
前記電子装置が車載用の電子装置であり、
前記フィルタカバーにおける開口部が、前記電子装置が収容された防水ケースを車へ搭載した時に、鉛直下方となる位置に形成されてなることを特徴とする請求項１乃至４のいずれか１項に記載の電子装置の防水ケース。
【発明の詳細な説明】
【技術分野】
【０００１】
本発明は、呼吸用撥水フィルタが取り付けられた電子装置を収容する防水ケースに関する。
【背景技術】
【０００２】
呼吸用撥水フィルタが取り付けられた電子装置を収容する防水ケースが、例えば、特開２０００−１３８４６９号公報（特許文献１），特開２００１−７５６０号公報（特許文献２），特開２００１−１６８５４５号公報（特許文献３）に開示されている。
【０００３】
図２と図３に、呼吸用撥水フィルタが取り付けられた従来の防水ケースの代表例を示す。
【０００４】
図２は、車両のエンジンＥＣＵ（Electric Control Unit）を収容する、防水ケース９０の斜視図である。図２の防水ケース９０は、底板１０と上蓋２０が１つの側面が開口となる略箱状に組み付けられ、前記開口を蓋する前面カバー３０に、外部と接続するためのコネクタ３０ｃが取り付けられた構造となっている。図２の防水ケース９０では、内部と外部の気圧差を無くす呼吸穴と埃や水の浸入を防止する撥水フィルタは、別体構造の撥水フィルタアッセンブリ４０として、上蓋２０に組み付けられている。
【０００５】
図３（ａ）〜（ｃ）に、別の防水ケース９１,９２を示す。図３（ａ）は、防水ケース９１,９２の斜視図である。図３（ｂ），（ｃ）は、図３（ａ）におけるＡ−Ａ断面図で、それぞれ、撥水フィルタの取り付け部分を拡大して示した図である。尚、図３（ａ）〜（ｃ）において、図２の防水ケース９０と同様の部分については同じ符号を付けた。
【０００６】
図２の防水ケース９０では撥水フィルタが別体のアッセンブリ４０として上蓋２０に組み付けられていた。一方、図３（ａ）〜（ｃ）の防水ケース９１，９２においては、撥水フィルタ４が、上蓋２１，２２に直接取り付けられる。図３（ｂ）に示す防水ケース９１では、撥水フィルタ４が、上蓋２１の外側面に溶着されている。また、外側面に溶着された撥水フィルタ４を覆って、上蓋２１と別体のフィルタカバー４１ｃが、上蓋２１の外側面に設けられている。尚、フィルタカバー４１ｃには、呼吸のための開口部４１ｃｈが設けられている。
【０００７】
図３（ｃ）に示す防水ケース９２では、撥水フィルタ４が、上蓋２２の内側面に溶着されている。また、内側面に溶着された撥水フィルタ４を覆って、上蓋２２と一体形成されたフィルタカバー２２ｃが、上蓋２２の外側面に設けられている。尚、フィルタカバー２２ｃには、呼吸のための開口部２２ｃｈが設けられている。
【特許文献１】特開２０００−１３８４６９号公報
【特許文献２】特開２００１−７５６０号公報
【特許文献３】特開２００１−１６８５４５号公報
【発明の開示】
【発明が解決しようとする課題】
【０００８】
図２に示す防水ケース９０は、撥水フィルタを別体構造の撥水フィルタアッセンブリ４０としているため、部品点数が多くなり組み付け工数がかかるため、製品コストが増大する。
【０００９】
図３（ｂ）に示す防水ケース９１では、撥水フィルタ４を上蓋２１に溶着することで部品点数を少なくし、部分的にコストダウンが図られている。しかしながら、撥水フィルタ４を上蓋２１の外側面に取り付ける場合には、組み付け手順の関係で、フィルタカバー４１ｃを図のように上蓋２１と別体にせざるを得ない。従って、この場合も部品点数や組み付け工数の削減が不十分である。
【００１０】
一方、図３（ｃ）に示す防水ケース９２では、撥水フィルタ４を上蓋２２の内側面に溶着するため、上蓋２２とフィルタカバー２２ｃを図のように一体形成することができ、十分なコストダウンを図ることができる。しかしながら、撥水フィルタ４を上蓋２２の内側面に溶着する場合には、撥水フィルタ４と上蓋２２の厚さで“受け皿”が形成され、開口部２２ｃｈから浸入した埃や水が図のように溜まり易い。
【００１１】
そこで本発明は、呼吸用撥水フィルタが取り付けられた、電子装置を収容する防水ケースであって、安価に製造することができ、撥水フィルタの取り付け部分に埃や水が留まり難い防水ケースを提供することを目的としている。
【課題を解決するための手段】
【００１２】
請求項１に記載の発明は、呼吸用撥水フィルタが取り付けられた、電子装置を収容する防水ケースであって、前記電子装置を搭載する略平板状の底板と、前記電子装置が搭載された底板を蓋する上蓋とを有し、前記上蓋には、前記略平板状の底板面に対して組み付け時に傾いた面となる傾斜部が形成され、前記上蓋を貫通する呼吸穴が、前記傾斜部に設けられ、前記上蓋の内側面に、前記撥水フィルタが、前記呼吸穴を覆って取り付けられ、前記上蓋の外側面に、開口部が形成されたフィルタカバーが、前記撥水フィルタを覆って形成されてなることを特徴としている。
【００１３】
また、請求項２に記載の発明は、前記フィルタカバーが、前記上蓋と一体形成されてなることを特徴としている。
【００１４】
請求項１に記載のように、撥水フィルタを上蓋の内側面に取り付ける場合には、撥水フィルタを上蓋の外側面に取り付ける場合のような組み付け手順における制限が無いため、請求項２に記載のように、フィルタカバーが一体形成された上蓋を用いることができる。このため、撥水フィルタを別体構造の撥水フィルタアッセンブリとして上蓋に取り付ける場合や、撥水フィルタを上蓋の外側面に取り付けて、その後別体のフィルタカバーを取り付ける場合に較べて、部品点数や組み付け工数を削減することができる。
【００１５】
また、撥水フィルタを上蓋の内側面に取り付ける場合には、外部から浸入した埃や水に対して、撥水フィルタと上蓋の厚さで“受け皿”が形成される。しかしながら、呼吸穴は上蓋の傾斜部に設けられており、撥水フィルタはこの傾斜部に取り付けられるため、前記の“受け皿”は、傾いた状態にある。このため、フィルタカバーと撥水フィルタとの間に埃や水が浸入しても、撥水フィルタ上には留まり難い構造となっている。
【００１６】
以上のようにして上記防水ケースは、呼吸用撥水フィルタが取り付けられた電子装置を収容する防水ケースであって、安価に製造することができ、撥水フィルタの取り付け部分に埃や水が留まり難い防水ケースとすることができる。
【００１７】
請求項３に記載の発明は、前記底板と上蓋が、１つの側面が開口となる略箱状に組み付けられ、前記電子装置における外部と接続するためのコネクタが、前記開口を蓋する前面カバーに取り付けられ、前記傾斜部が、前記上蓋における前記コネクタ上方の高い段とコネクタ以外の領域上方の低い段を接続する屈曲部であることを特徴としている。
【００１８】
電子装置は一般的に電子部品をプリント基板上に実装して形成されるが、外部と接続するためのコネクタは、プリント基板上の他の電子部品に較べて、高さが高い。従って、コネクタ部分を含めて電子装置を防水ケース内にコンパクトに収容する場合には、上蓋において、コネクタ上方の高い段とコネクタ以外の電子部品領域上方における低い段ができ、それらを接続する屈曲部が形成される。この屈曲部を前記傾斜部として利用して、呼吸穴を配置し上記のように撥水フィルタを取り付けることで、安価でコンパクトであり、埃や水が留まり難い防水ケースとすることができる。
【００１９】
請求項４に記載のように、前記防水ケースにおける撥水フィルタの上蓋への取り付けは、溶着により行うことができる。
【００２０】
請求項５に記載のように、前記防水ケースは、前記電子装置が車載用の電子装置である場合に好適で、前記フィルタカバーにおける開口部は、前記電子装置が収容された防水ケースを車へ搭載した時に、鉛直下方となる位置に形成されてなることが好ましい。
【００２１】
車載用の電子装置は、屋内で用いられる電子装置に較べて、埃や水の浸入し易い厳しい使用環境に曝される。このような厳しい使用環境にあっても、上記の防水ケースに収容することで、防水ケースの内部と外部の気圧差を無くすと共に、埃や水の撥水フィルタ部分への侵入，付着することによる撥水ファイルタの目詰まりを防止することができる。また、フィルタカバーの開口部を上記のように車へ搭載した時に鉛直下方となる位置に形成することで、フィルタカバーと撥水フィルタとの間に埃や水が浸入しても、それらを効率的に排出することができる。
【発明を実施するための最良の形態】
【００２２】
以下、本発明を実施するための最良の形態を、図に基づいて説明する。
【００２３】
図１（ａ），（ｂ）に、本発明の電子装置の防水ケース１００を示す。図１（ａ）は、防水ケース１００の斜視図である。図１（ｂ）は、図１（ａ）におけるＢ−Ｂ断面図で、撥水フィルタ４の取り付け部分を拡大して示した図である。尚、図１（ａ），（ｂ）において、図２と図３に示す従来の防水ケース９０〜９２と同様の部分については同じ符号を付けた。
【００２４】
図１（ａ），（ｂ）に示す防水ケース１００は、車載用の電子装置であるエンジンＥＣＵ（Electric Control Unit）を収容する防水ケースである。図１（ａ），（ｂ）に示す防水ケース１００は、図２と図３に示す従来の防水ケース９０〜９２と同様に、電子装置を搭載する略平板状の底板１０と、電子装置が搭載された底板１０を蓋する上蓋２３とを有している。底板１０と上蓋２３は、１つの側面が開口となる略箱状に組み付けられ、前記開口を蓋する前面カバー３０に、外部と接続するためのコネクタ３０ｃが取り付けられた構造となっている。
【００２５】
上蓋２３には、略平板状の底板面１０に対して組み付け時に傾いた面となる、傾斜部２３ｓが形成されている。この傾斜部２３ｓは、上蓋２３におけるコネクタ３０ｃ上方の高い段とコネクタ３０ｃ以外の領域上方の低い段を接続する屈曲部となっている。電子装置は一般的に電子部品をプリント基板上に実装して形成されるが、外部と接続するためのコネクタ３０ｃは、プリント基板上の他の電子部品に較べて、高さが高い。従って、コネクタ３０ｃ部分を含めて電子装置を防水ケース１００内にコンパクトに収容する場合には、上蓋２３において、コネクタ３０ｃ上方の高い段とコネクタ３０ｃ以外の電子部品領域上方における低い段ができ、それらを接続する屈曲部が形成される。
【００２６】
図１（ａ），（ｂ）の防水ケース１００では、内部と外部の気圧差を無くすための上蓋２３を貫通する呼吸穴２３ｂが、上記の傾斜部２３ｓに設けられ、埃や水の浸入を防止する撥水フィルタ４が、上蓋２３の内側面に呼吸穴２３ｂを覆って取り付けられている。撥水フィルタ４の上蓋２３への取り付けは、溶着により行う。上蓋２３の外側面には、フィルタカバー２３ｃが、撥水フィルタ４を覆って底板１０に対して直立するように略筒状に形成されている。フィルタカバー２３ｃは、撥水フィルタ４の破損を防止すると共に、外部からの埃や水が直接撥水フィルタ４に付着するのを防止する。尚、フィルタカバー２３ｃには、２つの開口部２３ｃａ，２３ｃｂが設けられている。開口部２３ｃａ，２３ｃｂは、内部と外部の気圧差を無くす呼吸のための小さな空気抜き孔である。
【００２７】
フィルタカバー２３ｃは、上蓋２３と一体形成されている。図１（ｂ）のように撥水フィルタ４を上蓋２３の内側面に取り付ける場合には、図３（ｂ）のように撥水フィルタ４を上蓋２１の外側面に取り付ける場合の組み付け手順における制限が無いため、フィルタカバー２３ｃが一体形成された上蓋２３を用いることができる。このため、図２の撥水フィルタを別体構造の撥水フィルタアッセンブリ４０として上蓋２０に取り付ける防水ケース９０や、図３（ｂ）の撥水フィルタ４を上蓋２１の外側面に取り付けて、その後別体のフィルタカバー４１ｃを取り付ける防水ケース９１に較べて、部品点数や組み付け工数を削減することができる。
【００２８】
また、図３（ｃ）の防水ケース９２で説明したように、撥水フィルタ４を上蓋２２の内側面に取り付ける場合には、外部から浸入した埃や水に対して、撥水フィルタ４と上蓋２２の厚さで“受け皿”が形成される。しかしながら、防水ケース１００においては呼吸穴２３ｂが上蓋２３の傾斜部２３ｓに設けられており、撥水フィルタ４はこの傾斜部２３ｓに取り付けられる。このため、図１（ｂ）に示すように、前記の“受け皿”は、傾いた状態にある。従って、フィルタカバー２３ｃと撥水フィルタ４との間に埃や水が浸入しても、侵入した埃や水が溜まる凹部４ａが小さくなっているため、撥水フィルタ４上には留まり難い構造となっている。尚、傾斜部２３ｓは、撥水フィルタ４を傾けて取り付けるために特別に形成したものではなく、上記のようにコネクタ３０ｃ部分を含めて電子装置を防水ケース１００内にコンパクトに収容するための屈曲部を利用したものである。
【００２９】
以上のようにして、図１（ａ），（ｂ）に示す防水ケース１００は、呼吸用撥水フィルタ４が取り付けられた電子装置を収容する防水ケースであって、安価に製造することができ、撥水フィルタ４の取り付け部分に埃や水が留まり難い防水ケースとすることができる。
【００３０】
図１（ａ），（ｂ）に示す防水ケース１００は、エンジンＥＣＵのような、電子装置が車載用の電子装置である場合に好適である。車載用の電子装置は、多くがエンジンルーム内に取り付けられるため、屋内で用いられる電子装置に較べて、埃や水の浸入し易い厳しい使用環境に曝される。このような厳しい使用環境にあっても、上記の防水ケース１００に収容することで、防水ケース１００内部へ水が侵入することを防止すると共に、埃や水の撥水フィルタ部分への侵入による撥水ファイルタの目詰まりを防止することができる。
【００３１】
図１（ａ），（ｂ）の防水ケース１００では、フィルタカバー２３ｃには、呼吸のための２つの開口部２３ｃａ，２３ｃｂが、撥水フィルタ４の上下に設けられていた。これにより、防水ケース１００が車両にどのような向きで搭載される場合にも、フィルタカバー２３ｃと撥水フィルタ４との間へ浸入した埃や水が、撥水フィルタ４上に溜まり難くすることが可能である。しかしながら、呼吸のための開口部の数と配置は、これに限らない。防水ケース１００の車両への搭載向きが決まっている場合には、電子装置が収容された防水ケース１００を車へ搭載した時に、開口部が鉛直下方となる位置に形成されてなることが好ましい。例えば、図１（ｂ）のように防水ケース１００を水平に搭載する場合には、上方の開口部２３ｃｂは形成せずに、下方の開口部２３ｃａのみとする。逆に、図１（ｂ）の左のコネクタ側を下方にして防水ケース１００を垂直に搭載する場合には、開口部２３ｃａは形成せずに、開口部２３ｃｂのみとする。これにより、フィルタカバー２３ｃと撥水フィルタ４との間への埃や水の浸入が抑制されると共に、一旦浸入しても、それらを効率的に排出することができる。
【００３２】
（他の実施形態）
上記の図１（ａ），（ｂ）に示した防水ケース１００は、撥水フィルタを取り付ける傾斜部が、コネクタ部分を含めて電子装置を防水ケース内にコンパクトに収容するための上蓋の屈曲部を利用したものであった。しかしながら、本発明の防水ケースはこれに限らず、撥水フィルタを取り付ける傾斜部は、上蓋に適宜形成されたものであってよい。
【００３３】
上記の図１（ａ），（ｂ）に示した防水ケース１００は、フィルタカバー２３ｃが上蓋２３と一体形成された防水ケースであった。しかしながら、本発明の防水ケースはこれに限らず、フィルタカバー２３ｃと上蓋２３が別体で形成されていてもよい。
【００３４】
上記の図１（ａ），（ｂ）に示した防水ケース１００は、フィルタカバー２３ｃが円筒状に形成されていた。しかしながら、本発明の防水ケースはこれに限らず、フィルタカバー２３ｃは別形状で形成されていてもよい。
【００３５】
上記の図１（ａ），（ｂ）に示した防水ケース１００は、車載用の電子装置であるエンジンＥＣＵ（Electric Control Unit）を収容する防水ケースであった。しかしながら、本発明の防水ケースはこれに限らず、任意の電子装置を収容する防水ケースに適用することができる。
【図面の簡単な説明】
【００３６】
【図１】本発明の電子装置の防水ケースを示す図で、（ａ）は防水ケースの斜視図であり、（ｂ）は（ａ）におけるＢ−Ｂ断面図で、撥水フィルタの取り付け部分を拡大して示した図である。
【図２】従来の防水ケースの斜視図である。
【図３】従来の別の防水ケースを示す図で、（ａ）は防水ケースの斜視図であり、（ｂ），（ｃ）は（ａ）におけるＡ−Ａ断面図で、それぞれ、撥水フィルタの取り付け部分を拡大して示した図である。
【符号の説明】
【００３７】
９０〜９２，１００  防水ケース
１０  底板
２０〜２３  上蓋
２３ｓ  傾斜部
２３ｂ  呼吸穴
２２ｃ，４１ｃ，２３ｃ  フィルタカバー
２２ｃｈ，４１ｃｈ，２３ｃａ，２３ｃｂ  開口部
３０  前面カバー
３０ｃ  コネクタ
４  撥水フィルタ
【図１】
2006005162.tif 000003
【図２】
2006005162.tif 000004
【図３】
2006005162.tif 000005